(57)【要約】【課題】発光素子からの出射光をリフレクタによって灯具前方へ向けて反射させるように構成された第１および第２の投光ユニットを備えた灯具において、これをコンパクトな構成でかつ放熱性に優れたものとする。【解決手段】天板部１２ｅとその灯具前方側において段上がりとなった天板部１２ｇとを接続する接続部１２ｆに対して、その灯具前方側に投光ユニット２０ＣＲのリフレクタ２４ＣＲが配置された構成とする。これにより、灯具全体の上下幅を小さくし、灯具１０をコンパクトに構成する。また、各投光ユニット２０ＢＲ、２０ＣＲとして、ランプボディ１２に支持された状態において、そのヒートシンク２６の放熱フィン２６ａが天板部１２ｅ、１２ｇの開口部１２ｅ１、１２ｇ１から灯室１６外へ露出する構成とする。これにより、各投光ユニット２０ＢＲ、２０ＣＲの発光素子２２で発生した熱をヒートシンク２６から灯室１６外へ効率良く放散させるようにする。【選択図】図２
2019212587.tif 000002
【特許請求の範囲】
【請求項１】
発光素子からの出射光をリフレクタによって灯具前方へ向けて反射させるように構成された第１および第２の投光ユニットを備えた灯具において、
上記各投光ユニットは、ランプボディとこのランプボディに取り付けられた透光カバーとによって形成される灯室内に該投光ユニットの一部が収容された状態で上記ランプボディに支持されており、
上記ランプボディは、灯具前方へ向けて延びる第１天板部と、この第１天板部の前端位置から上方へ向けて延びる第１接続部と、この第１接続部の上端位置から灯具前方へ向けて延びる第２天板部とを備えており、
上記第１および第２天板部の各々に開口部が形成されており、
上記各投光ユニットは、上面に放熱フィンが形成されたヒートシンクを備えており、かつ該ヒートシンクの下面に上記発光素子および上記リフレクタが固定された構成となっており、
上記第１の投光ユニットは、該投光ユニットのヒートシンクの放熱フィンを上記第１天板部の開口部から上記灯室外へ露出させた状態で上記第１天板部に取り付けられており、
上記第２の投光ユニットは、該投光ユニットのヒートシンクの放熱フィンを上記第２天板部の開口部から上記灯室外へ露出させた状態で上記第２天板部に取り付けられている、ことを特徴とする灯具。
【請求項２】
上記第２の投光ユニットからの光照射方向が、上記第１の投光ユニットからの光照射方向よりも下向きに設定されている、ことを特徴とする請求項１記載の灯具。
【請求項３】
上記第２天板部は、上記第１天板部よりも灯具前方へ向けて下向きに傾斜して延びるように形成されている、ことを特徴とする請求項２記載の灯具。
【請求項４】
上記ランプボディは、上記第２天板部の前端位置から上方へ向けて延びる第２接続部と、この第２接続部の上端位置から灯具前方へ向けて延びる第３天板部とを備えており、
上記第３天板部の下面に、上記第１および第２の投光ユニットを点灯させるための電源ユニットが取り付けられている、ことを特徴とする請求項１〜３いずれか記載の灯具。
【請求項５】
上記第１および第２の投光ユニットのうち少なくとも一方は、灯具前後方向と交差する方向に複数個並んだ状態で配置されている、ことを特徴とする請求項１〜４いずれか記載の灯具。
【発明の詳細な説明】
【技術分野】
【０００１】
本願発明は、航空機や自動車等に装着される灯具に関するものである。
【背景技術】
【０００２】
一般に、航空機や自動車等には、夜間の前方視界を確保するための灯具が装着されている。
【０００３】
「特許文献１」には、航空機において前方滑走路を照射するための灯具として、発光素子からの出射光をリフレクタによって灯具前方へ向けて反射させるように構成された複数の投光ユニットを備えたものが記載されている。
【０００４】
一方「特許文献２」には、自動車用の灯具として、発光素子を光源とする複数の投光ユニットがランプボディと透光カバーとによって形成される灯室内に収容されたものが記載されている。
【先行技術文献】
【特許文献】
【０００５】
【特許文献１】欧州特許出願公開第３２８４６８１号明細書
【特許文献２】特開２００４−３１１２２４号公報
【発明の概要】
【発明が解決しようとする課題】
【０００６】
上記「特許文献１」に記載された灯具においては、複数の投光ユニットが同一鉛直面上において上下方向に並んで配置されているので、灯具全体の上下幅が大きくなってしまい、灯具をコンパクトに構成することが困難である。
【０００７】
一方「特許文献２」に記載された灯具においては、複数の投光ユニットが灯室内に収容されているので、各投光ユニットの発光素子で発生した熱を灯室外へ効率良く放散させることが困難である。
【０００８】
本願発明は、このような事情に鑑みてなされたものであって、発光素子からの出射光をリフレクタによって灯具前方へ向けて反射させるように構成された第１および第２の投光ユニットを備えた灯具において、コンパクトな構成でかつ放熱性に優れた灯具を提供することを目的とするものである。
【課題を解決するための手段】
【０００９】
本願発明は、ランプボディの構成等に工夫を施すことにより、上記目的達成を図るようにしたものである。
【００１０】
すなわち、本願発明に係る灯具は、
発光素子からの出射光をリフレクタによって灯具前方へ向けて反射させるように構成された第１および第２の投光ユニットを備えた灯具において、
上記各投光ユニットは、ランプボディとこのランプボディに取り付けられた透光カバーとによって形成される灯室内に該投光ユニットの一部が収容された状態で上記ランプボディに支持されており、
上記ランプボディは、灯具前方へ向けて延びる第１天板部と、この第１天板部の前端位置から上方へ向けて延びる第１接続部と、この第１接続部の上端位置から灯具前方へ向けて延びる第２天板部とを備えており、
上記第１および第２天板部の各々に開口部が形成されており、
上記各投光ユニットは、上面に放熱フィンが形成されたヒートシンクを備えており、かつ該ヒートシンクの下面に上記発光素子および上記リフレクタが固定された構成となっており、
上記第１の投光ユニットは、該投光ユニットのヒートシンクの放熱フィンを上記第１天板部の開口部から上記灯室外へ露出させた状態で上記第１天板部に取り付けられており、
上記第２の投光ユニットは、該投光ユニットのヒートシンクの放熱フィンを上記第２天板部の開口部から上記灯室外へ露出させた状態で上記第２天板部に取り付けられている、ことを特徴とするものである。
【００１１】
本願発明に係る「灯具」の用途は特に限定されるものではなく、例えば、航空機の着陸灯や自動車の前照灯あるいは道路や球技場の照明灯等の用途に用いることが可能である。また、この「灯具」からの照射光によって形成される配光パターンの具体的な形状については特に限定されるものではない。
【００１２】
上記「第１天板部」および「第２天板部」は、水平面に沿って延びるように形成されていてもよいし、水平面に対して傾斜した方向に延びるように形成されていてもよい。
【００１３】
上記「第１接続部」は、鉛直面に沿って延びるように形成されていてもよいし、鉛直面に対して傾斜した方向に延びるように形成されていてもよい。
【００１４】
上記「ヒートシンク」は、上面に放熱フィンが形成されるとともに下面に発光素子およびリフレクタが固定され得る構成となっていれば、その具体的な形状は特に限定されるものではない。
【発明の効果】
【００１５】
本願発明に係る灯具は、ランプボディと透光カバーとによって形成される灯室内に第１および第２の投光ユニットの一部が収容された構成となっているが、ランプボディは階段状に形成された第１および第２天板部を備えており、また、各投光ユニットは上面に放熱フィンが形成されたヒートシンクに対してその下面に発光素子およびリフレクタが固定された構成となっており、そして、第１および第２の投光ユニットは、そのヒートシンクの放熱フィンを第１および第２天板部の開口部から灯室外へ露出させた状態で第１および第２天板部にそれぞれ取り付けられているので、次のような作用効果を得ることができる。
【００１６】
すなわち、本願発明に係る灯具においては、第１天板部とその灯具前方側において段上がりとなった第２天板部とを接続する第１接続部に対して、その灯具前方側に第２の投光ユニットのリフレクタが配置されることとなるので、従来のように複数の投光ユニットが同一鉛直面上において上下方向に並んで配置された構成とした場合に比して、灯具全体の上下幅を小さくすることができ、これにより灯具をコンパクトに構成することができる。
【００１７】
また、第１および第２の投光ユニットは、ランプボディに支持された状態において、そのヒートシンクの放熱フィンが第１および第２天板部の開口部から灯室外へ露出しているので、各投光ユニットの発光素子で発生した熱をヒートシンクから灯室外へ効率良く放散させることができる。
【００１８】
このように本願発明によれば、発光素子からの出射光をリフレクタによって灯具前方へ向けて反射させるように構成された第１および第２の投光ユニットを備えた灯具において、これをコンパクトな構成でかつ放熱性に優れたものとすることができる。
【００１９】
上記構成において、さらに、第２の投光ユニットからの光照射方向が第１の投光ユニットからの光照射方向よりも下向きに設定された構成とすれば、各投光ユニットからの照射光を組み合わせることによって光照射範囲を上下方向に拡げることができ、これにより所望の配光パターンを形成することが容易に可能となる。しかも、このような構成を採用することにより、灯室内において第２の投光ユニットの灯具前方側に他の灯具構成部材が配置されている場合であっても、この灯具構成部材によって第２の投光ユニットのリフレクタからの反射光が遮光されてしまうのを防止または抑制することができる。
【００２０】
これを実現するための具体的な構成は特に限定されるものではないが、第２天板部が第１天板部よりも灯具前方へ向けて下向きに傾斜して延びるように形成された構成とすれば、第１および第２の投光ユニットを同一の構成とした上で、第２の投光ユニットからの光照射方向を第１の投光ユニットからの光照射方向よりも下向きに設定することが可能となる。
【００２１】
上記構成において、さらに、ランプボディの構成として、第２天板部の前端位置から上方へ向けて延びる第２接続部と、この第２接続部の上端位置から灯具前方へ向けて延びる第３天板部とを備えた構成とした上で、第３天板部の下面に第１および第２の投光ユニットを点灯させるための電源ユニットが取り付けられた構成とすれば、第１および第２の投光ユニットからの照射光を遮光してしまわないようにした上で、灯室内に電源ユニットを配置することができる。
【００２２】
その際、上記「第２接続部」は、鉛直面に沿って延びるように形成されていてもよいし、鉛直面に対して傾斜した方向に延びるように形成されていてもよい。
【００２３】
また、上記「第３天板部」は、水平面に沿って延びるように形成されていてもよいし、水平面に対して傾斜した方向に延びるように形成されていてもよい。
【００２４】
上記構成において、さらに、第１および第２の投光ユニットのうち少なくとも一方が、灯具前後方向と交差する方向に複数個並んだ状態で配置された構成とすれば、所望の配光パターンを形成することが一層容易に可能となる。
【図面の簡単な説明】
【００２５】
【図１】本願発明の一実施形態に係る灯具を示す正面図
【図２】図１のII−II線断面図
【図３】図２の III詳細図
【図４】図３のIV方向矢視図
【図５】上記実施形態の第１変形例を示す、図２と同様の図
【図６】上記実施形態の第２変形例を示す、図２と同様の図
【図７】上記実施形態の第３変形例を示す、図１と同様の図
【発明を実施するための形態】
【００２６】
以下、図面を用いて、本願発明の実施の形態について説明する。
【００２７】
図１は、本願発明の一実施形態に係る灯具１０を示す正面図である。また、図２は、図１のII−II線断面図である。
【００２８】
これらの図に示すように、本実施形態に係る灯具１０は、航空機の着陸灯であって、機体２の胴体部分の下面前端部に装着されるようになっている。
【００２９】
これらの図において、Ｘで示す方向が灯具としての「前方」（航空機としても「前方」）であり、Ｙで示す方向が「前方」と直交する「左方向」（航空機としても「左方向」であるが、灯具正面視では「右方向」）であり、Ｚで示す方向が「上方向」である。これら以外の図においても同様である。
【００３０】
図１に示すように、本実施形態に係る灯具１０は、６つの投光ユニット２０ＡＬ、２０ＡＲ、２０ＢＬ、２０ＢＲ、２０ＣＬ、２０ＣＲを備えており、全体として左右対称の形状を有している。各投光ユニット２０ＡＬ〜２０ＣＲは、ランプボディ１２とこのランプボディ１２に取り付けられた透光カバー１４とによって形成される灯室１６内にその一部が収容された状態でランプボディ１２に支持されている。
【００３１】
灯室１６は、灯具正面視において矩形状の内周面形状を有している。
【００３２】
透光カバー１４は、矩形状の外形形状を有する透明板で構成されており、機体２の胴体部分の下面前端部の表面形状に沿って延びるように形成されている。
【００３３】
具体的には、この透光カバー１４は、透明樹脂製（例えば無色透明のアクリル樹脂製）の板状部材に曲げ加工を施すことによって、灯具前方および下方へ向けて凸曲面状に膨らむように形成されている。そして、この透光カバー１４は、その前端部が灯具前方へ向けて斜め上方向に延びるとともに、その後端部が灯具後方へ向けて水平方向に延びるように形成されている。
【００３４】
ランプボディ１２は、樹脂製の射出成形品で構成されている。このランプボディ１２は、灯具前方および下方へ向けて開口しており、その周囲を囲むように形成された外周フランジ部１２ａにおいて透光カバー１４の外周縁部に固定されている。この固定は、ランプボディ１２をその外周フランジ部１２ａに沿った周方向の複数箇所において透光カバー１４にネジ締めすることによって行われている。このネジ締めは、皿ネジ５２を透光カバー１４の外表面側から挿入して外周フランジ部１２ａの背面側においてナット５４で締め付けることによって行われている。透光カバー１４は、ネジ締め完了状態において皿ネジ５２の表面が該透光カバー１４の表面と面一になるように構成されている。
【００３５】
ランプボディ１２は、灯具前方へ向けて段上がりとなるようにして階段状に形成されている。
【００３６】
具体的には、このランプボディ１２は、その外周フランジ部１２ａにおける灯室１６の灯具後方側領域の内周縁から上方へ向けて延びる後壁部１２ｂと、この後壁部１２ｂの上端位置から灯具前方へ向けて延びる天板部１２ｃと、この天板部１２ｃの前端位置から上方へ向けて延びる接続部１２ｄと、この接続部１２ｄの上端位置から灯具前方へ向けて延びる天板部１２ｅと、この天板部１２ｅの前端位置から上方へ向けて延びる接続部１２ｆと、この接続部１２ｆの上端位置から灯具前方へ向けて延びる天板部１２ｇと、この天板部１２ｇの前端位置から上方へ向けて延びる接続部１２ｈと、この接続部１２ｈの上端位置から外周フランジ部１２ａにおける灯室１６の灯具前方側領域の内周縁まで灯具前方へ向けて延びる天板部１２ｉとを備えている。
【００３７】
４つの天板部１２ｃ、１２ｅ、１２ｇ、１２ｉは、いずれも水平面に沿って延びている。その際、３つの天板部１２ｃ、１２ｅ、１２ｇは略同じ前後長で形成されているが、天板部１２ｉはこれらよりも長い前後長で形成されている。
【００３８】
３つの天板部１２ｃ、１２ｅ、１２ｇには、左右１対の開口部１２ｃ１、１２ｅ１、１２ｇ１がそれぞれ形成されている。各開口部１２ｃ１、１２ｅ１、１２ｇ１は、同一サイズの矩形状の開口形状を有している。
【００３９】
後壁部１２ｂは、鉛直方向上方に対してやや前傾した方向に延びており、接続部１２ｄ、１２ｆは、鉛直方向上方に対してやや後傾した方向に延びており、接続部１２ｈは、後壁部１２ｂよりもさらに前傾した方向に延びている。その際、３つの接続部１２ｄ、１２ｆ、１２ｈは同じ高さで形成されており、後壁部１２ｂはこれらよりも高く形成されている。
【００４０】
６つの投光ユニット２０ＡＬ〜２０ＣＲは、左右１対の投光ユニット２０ＡＬ、２０ＡＲと、その上方側に位置する左右１対の投光ユニット２０ＢＬ、２０ＢＲと、さらにその上方側に位置する左右１対の投光ユニット２０ＣＬ、２０ＣＲとで構成されている。
【００４１】
各投光ユニット２０ＡＬ〜２０ＣＲは、発光素子２２からの出射光をリフレクタ２４ＡＬ〜２４ＣＲによって灯具前方へ向けて反射させるように構成されている。
【００４２】
６つの投光ユニット２０ＡＬ〜２０ＣＲのうち４つの投光ユニット２０ＡＬ〜２０ＢＲは同様の構成を有しているが、残り２つの投光ユニット２０ＣＬ、２０ＣＲはこれらとは異なる構成を有している。ただし、これら２つの投光ユニット２０ＣＬ、２０ＣＲは、そのリフレクタ２４ＣＬ、２４ＣＲの構成が４つの投光ユニット２０ＡＬ〜２０ＢＲの場合と異なっているが、それ以外の構成に関してはこれらと同様である。
【００４３】
各投光ユニット２０ＡＬ〜２０ＣＲは、上面に複数の放熱フィン２６ａが形成されたヒートシンク２６を備えている。このヒートシンク２６は、金属製（例えばアルミダイカスト製）の板状部材として構成されている。そして、各投光ユニット２０ＡＬ〜２０ＣＲは、そのヒートシンク２６の下面に発光素子２２およびリフレクタ２４ＡＬ〜２４ＣＲが固定された構成となっている。
【００４４】
発光素子２２は、横長矩形状の発光面を有する白色発光ダイオードであって、その発光面を鉛直下向きにした状態で基板２８に搭載されており、この基板２８を介してヒートシンク２６の下面に固定されている。
【００４５】
下段に位置する左右１対の投光ユニット２０ＡＬ、２０ＡＲは、そのヒートシンク２６の放熱フィン２６ａを天板部１２ｃの開口部１２ｃ１から灯室１６外へ露出させた状態で天板部１２ｃに取り付けられている。
【００４６】
各投光ユニット２０ＡＬ、２０ＡＲは、そのリフレクタ２４ＡＬ、２４ＡＲによって発光素子２２からの出射光を灯具正面方向へ向けて反射させるように構成されている。
【００４７】
中段に位置する左右１対の投光ユニット２０ＢＬ、２０ＢＲは、そのヒートシンク２６の放熱フィン２６ａを天板部１２ｅの開口部１２ｅ１から灯室１６外へ露出させた状態で天板部１２ｅに取り付けられている。
【００４８】
各投光ユニット２０ＢＬ、２０ＢＲも、そのリフレクタ２４ＢＬ、２４ＢＲによって発光素子２２からの出射光を灯具正面方向へ向けて反射させるように構成されている。
【００４９】
上段に位置する左右１対の投光ユニット２０ＣＬ、２０ＣＲは、そのヒートシンク２６の放熱フィン２６ａを天板部１２ｇの開口部１２ｇ１から灯室１６外へ露出させた状態で天板部１２ｇに取り付けられている。
【００５０】
各投光ユニット２０ＣＬ、２０ＣＲは、そのリフレクタ２４ＣＬ、２４ＣＲによって発光素子２２からの出射光を灯具前方斜め下方向（具体的には灯具正面方向に対して５〜３０°程度下向きの方向）へ向けて反射させるように構成されている。
【００５１】
その際、左側に位置する投光ユニット２０ＣＬのリフレクタ２４ＣＬは、発光素子２２からの出射光を灯具前方斜め左方向（具体的には灯具正面方向に対して１５〜６０°程度左向きの方向）へ向けて反射させるように構成されている。一方、右側に位置する投光ユニット２０ＣＲのリフレクタ２４ＣＲは、発光素子２２からの出射光を灯具前方斜め右方向（具体的には灯具正面方向に対して１５〜６０°程度右向きの方向）へ向けて反射させるように構成されている。
【００５２】
天板部１２ｉの下面には、６つの投光ユニット２０ＡＬ〜２０ＣＲを点灯させるための電源ユニット３０が取り付けられている。
【００５３】
この電源ユニット３０は、略直方体の外形形状を有しており、接続部１２ｈの高さよりもやや低い高さを有している。この電源ユニット３０の外周面の上端部には、水平面に沿って延びる外周フランジ部３０ａが形成されている。そして、この電源ユニット３０は、その外周フランジ部３０ａの各コーナ部において天板部１２ｉにネジ締め固定されている。このネジ締め固定はネジ６２およびナット６４によって行われている。
【００５４】
この電源ユニット３０は、ランプボディ１２の内面に沿って延びるように配置された配線部材（図示せず）を介して、各投光ユニット２０ＡＬ〜２０ＣＲの発光素子２２と電気的に接続されている。
【００５５】
なお、本実施形態に係る灯具１０は、図示しない取付部材を介して機体２の胴体部分の構造部材に取り付けられるようになっている。
【００５６】
図３は、図２の III詳細図である。また、図４は、図３のIV方向矢視図である。
【００５７】
これらの図にも示すように、中段の右側に位置する投光ユニット２０ＢＲのリフレクタ２４ＢＲは、その反射面２４ＢＲａが複数の反射素子２４ＢＲｓで構成されている。そして、このリフレクタ２４ＢＲは、各反射素子２４ＢＲｓにおいて発光素子２２からの出射光を灯具正面方向を中心にして多少拡散させた状態で反射させるようになっている。なお、中段の左側に位置する投光ユニット２０ＢＬのリフレクタ２４ＢＲおよび下段に位置する投光ユニット２０ＡＬ、２０ＡＲのリフレクタ２４ＡＬ、２４ＡＲも、リフレクタ２４ＢＲと同様の反射面形状を有している。
【００５８】
また、上段の右側に位置する投光ユニット２０ＣＲのリフレクタ２４ＣＲは、その反射面２４ＣＲａが複数の反射素子２４ＣＲｓで構成されている。そして、このリフレクタ２４ＣＲは、各反射素子２４ＣＲｓにおいて発光素子２２からの出射光を灯具正面方向に対して５〜３０°程度下向きでかつ１５〜６０°程度右向きの方向を中心にして多少拡散させた状態で反射させるようになっている。なお、上段の左側に位置する投光ユニット２０ＣＬのリフレクタ２４ＣＬは、リフレクタ２４ＣＲと左右対称の反射面形状を有している。
【００５９】
各投光ユニット２０ＢＲ、２０ＣＲのヒートシンク２６は、平面視においてランプボディ１２の天板部１２ｅ、１２ｇの開口部１２ｅ１、１２ｇ１よりもひと回り大きい矩形状の外形形状を有する厚肉部２６Ａと、この厚肉部２６Ａの外周側において該厚肉部２６Ａよりもさらにひと回り大きい矩形状の外形形状を有する環状の薄肉部２６Ｂとを備えている。その際、薄肉部２６Ｂは、その上面が厚肉部２６Ａの上面と面一で形成されており、その下面が厚肉部２６Ａの下面に対して段上がりで形成されている。
【００６０】
各投光ユニット２０ＢＲ、２０ＣＲの発光素子２２が搭載された基板２８は、厚肉部２６Ａにおいてヒートシンク２６の下面に固定されている。また、ヒートシンク２６の放熱フィン２６ａは、厚肉部２６Ａの上面に複数形成されている。これら複数の放熱フィン２６ａは、灯具前後方向に一定の間隔をおいて左右方向に延びるように形成されている。
【００６１】
各リフレクタ２４ＢＲ、２４ＣＲの上端部には、灯具後方側へ向けて水平方向に延びる上端フランジ部２４ＢＲｂ、２４ＣＲｂが形成されている。そして、各リフレクタ２４ＢＲ、２４ＣＲは、その上端フランジ部２４ＢＲｂ、２４ＣＲｂの左右２箇所においてネジ７２によってヒートシンク２６の厚肉部２６Ａにネジ締め固定されている。
【００６２】
各投光ユニット２０ＢＲ、２０ＣＲの天板部１２ｅ、１２ｇへの取付けは、ヒートシンク２６の薄肉部２６Ｂにおいて行われている。すなわち、この取付けは、開口部１２ｅ１、１２ｇ１の灯具前方側における左右方向の中心位置と開口部１２ｅ１、１２ｇ１の灯具後方側における左右両端位置との３箇所においてネジ８２をヒートシンク２６のネジ挿通孔２６ｂおよび天板部１２ｅ、１２ｇのネジ挿通孔（図示せず）に挿通させて、天板部１２ｅ、１２ｇの上面側においてナット８４で締め付けることによって行われている。
【００６３】
各投光ユニット２０ＢＲ、２０ＣＲが天板部１２ｅ、１２ｇに取り付けられた状態において灯室１６内の気密性を確保するため、ヒートシンク２６と天板部１２ｅ、１２ｇとの間にはパッキン４０が介装されている。
【００６４】
具体的には、ヒートシンク２６の厚肉部２６Ａの外周縁部の上面には、複数の放熱フィン２６ａを囲むようにして矩形環状に延びる溝部２６ｃが形成されている。そして、この溝部２６ｃに対してパッキン４０がその略上半部を厚肉部２６Ａの上面から突出させるようにして装着された状態で、ヒートシンク２６が天板部１２ｅ、１２ｇの下面に押し当てられることによってパッキン４０が弾性圧縮変形し、これにより開口部１２ｅ１、１２ｇ１の周囲において灯室１６内の気密性が確保されるようになっている。
【００６５】
次に本実施形態の作用効果について説明する。
【００６６】
本実施形態に係る灯具１０は、ランプボディ１２と透光カバー１４とによって形成される灯室内に投光ユニット２０ＢＲ（第１の投光ユニット）の一部および投光ユニット２０ＣＲ（第２の投光ユニット）の一部が収容された構成となっているが、ランプボディ１２は階段状に形成された天板部１２ｅ（第１天板部）および天板部１２ｇ（第２天板部）を備えており、また、各投光ユニット２０ＢＲ、２０ＣＲは上面に放熱フィン２６ａが形成されたヒートシンク２６に対してその下面に発光素子２２およびリフレクタ２４ＢＲ、２４ＣＲが固定された構成となっており、そして、各投光ユニット２０ＢＲ、２０ＣＲは、そのヒートシンク２６の放熱フィン２６ａを天板部１２ｅ、１２ｇの開口部１２ｅ１、１２ｇ１から灯室１６外へ露出させた状態で天板部１２ｅ、１２ｇにそれぞれ取り付けられているので、次のような作用効果を得ることができる。
【００６７】
すなわち、本実施形態に係る灯具１０においては、天板部１２ｅとその灯具前方側において段上がりとなった天板部１２ｇとを接続する接続部１２ｆ（第１接続部）に対して、その灯具前方側に投光ユニット２０ＣＲのリフレクタ２４ＣＲが配置されることとなるので、従来のように複数の投光ユニットが同一鉛直面上において上下方向に並んで配置された構成とした場合に比して、灯具全体の上下幅を小さくすることができ、これにより灯具１０をコンパクトに構成することができる。
【００６８】
また、各投光ユニット２０ＢＲ、２０ＣＲは、ランプボディ１２に支持された状態において、そのヒートシンク２６の放熱フィン２６ａが天板部１２ｅ、１２ｇの開口部１２ｅ１、１２ｇ１から灯室１６外へ露出しているので、各投光ユニット２０ＢＲ、２０ＣＲの発光素子２２で発生した熱をヒートシンク２６から灯室１６外へ効率良く放散させることができる。
【００６９】
このように本実施形態によれば、発光素子２２からの出射光をリフレクタ２４ＢＲ、２４ＣＲによって灯具前方へ向けて反射させるように構成された投光ユニット２０ＢＲ、２０ＣＲを備えた灯具１０において、これをコンパクトな構成でかつ放熱性に優れたものとすることができる。
【００７０】
しかも本実施形態においては、投光ユニット２０ＣＲからの光照射方向が投光ユニット２０ＢＲからの光照射方向よりも下向きに設定されているので、各投光ユニット２０ＢＲ、２０ＣＲからの照射光を組み合わせることによって光照射範囲を上下方向に拡げることができ、これにより所望の配光パターンを形成することが容易に可能となる。
【００７１】
その際、本実施形態においては、投光ユニット２０ＣＲからの光照射方向を投光ユニット２０ＢＲからの光照射方向よりも下向きにするための具体的な構成として、投光ユニット２０ＣＲのリフレクタ２４ＣＲが投光ユニット２０ＢＲのリフレクタ２４ＢＲよりも発光素子２２からの出射光を下向きに反射させる構成となっているので、天板部１２ｅ、１２ｇの形状および各投光ユニット２０ＢＲ、２０ＣＲの天板部１２ｅ、１２ｇへの取付構造を共通にすることができる。
【００７２】
さらに本実施形態においては、ランプボディ１２が、天板部１２ｇの前端位置から上方へ向けて延びる接続部１２ｈ（第２接続部）と、この接続部１２ｈの上端位置から灯具前方へ向けて延びる天板部１２ｉ（第３天板部）とを備えており、この天板部１２ｉの下面に投光ユニット２０ＢＲ、２０ＣＲを点灯させるための電源ユニット３０が取り付けられているので、各投光ユニット２０ＢＲ、２０ＣＲからの照射光を遮光してしまわないようにした上で、灯室１６内に電源ユニット３０を配置することができる。
【００７３】
さらに本実施形態においては、投光ユニット２０ＢＲ、２０ＣＲと対をなす投光ユニット２０ＢＬ、２０ＣＬを備えているので、所望の配光パターンを形成することが一層容易に可能となる。
【００７４】
その際、本実施形態においては、左側に位置する投光ユニット２０ＣＬのリフレクタ２４ＣＬによって発光素子２２からの出射光を灯具正面方向に対して１５〜６０°程度左向きの方向へ向けて反射させるとともに、右側に位置する投光ユニット２０ＣＲのリフレクタ２４ＣＲによって発光素子２２からの出射光を灯具正面方向に対して１５〜６０°程度右向きの方向へ向けて反射させるように構成されているので、光照射範囲を左右方向にも大きく拡げることができ、これにより所望の配光パターンを形成することがより一層容易に可能となる。
【００７５】
その上で、本実施形態においては、これら上下２段で配置された左右１対の投光ユニット２０ＢＬ、２０ＢＲ、２０ＣＬ、２０ＣＲに加えて、その下方側に左右１対の投光ユニット２０ＢＬ、２０ＢＲと同様の構成を有する左右１対の投光ユニット２０ＡＬ、２０ＡＲが配置されているので、灯具正面方向への照射光量を十分に確保することができる。
【００７６】
上記実施形態においては、左側に位置する投光ユニット２０ＣＬが灯具前方左斜め下方向を照射するとともに、右側に位置する投光ユニット２０ＣＲが灯具前方右斜め下方向を照射するように構成されているものとして説明したが、これら投光ユニット２０ＣＬ、２０ＣＲを灯具正面方向の斜め下方向を照射するように構成することも可能であり、このようにすることにより光照射範囲を上下方向に拡げた上で灯具正面方向をより明るく照射することが可能となる。
【００７７】
上記実施形態においては、灯具１０が航空機の着陸灯であるものとして説明したが、これ以外の用途に灯具１０を使用することも可能であり、その際、６つの投光ユニット２０ＡＬ〜２０ＣＲのうちの一部または全部が選択的に点灯する構成とすることも可能である。
【００７８】
次に、上記実施形態の変形例について説明する。
【００７９】
まず、上記実施形態の第１変形例について説明する。
【００８０】
図５は、本変形例に係る灯具１１０を示す、図２と同様の図である。
【００８１】
同図に示すように、本変形例に係る灯具１１０の基本的な構成は上記実施形態の場合と同様であるが、そのランプボディ１１２の構成が上記実施形態の場合と一部異なっており、これに伴って透光カバー１１４の構成も上記実施形態の場合と一部異なっている。
【００８２】
具体的には、本変形例のランプボディ１１２は、投光ユニット２０ＣＲ（第２の投光ユニット）を支持する天板部１１２ｇ（第２天板部）と電源ユニット３０を支持する天板部１１２ｉ（第３天板部）との間の接続部１１２ｈ（第２接続部）が、上記実施形態の接続部１２ｈと同じ傾斜角度でその半分程度の長さに形成されている。
【００８３】
これにより、ランプボディ１１２は、その天板部１１２ｉの位置が上記実施形態の天板部１２ｉよりも低い位置に設定されており、その分だけ電源ユニット３０の位置も上記実施形態の場合よりも低い位置に設定されている。また、ランプボディ１１２の外周フランジ部１１２ａにおける灯室１６の灯具前方側領域と透光カバー１１４との固定位置も上記実施形態の場合よりも低い位置に設定されている。
【００８４】
本変形例の構成を採用することにより、灯具全体の上下幅を上記実施形態の場合よりもさらに小さくすることができ、これにより灯具１１０を一層コンパクトな構成とすることができる。
【００８５】
本変形例においては、投光ユニット２０ＣＲのリフレクタ２４ＣＲとその灯具前方側に配置された電源ユニット３０とが灯具正面視において部分的に重複しているが、投光ユニット２０ＣＲのリフレクタ２４ＣＲは発光素子２２からの出射光を斜め下向きに反射させるように構成されているので、リフレクタ２４ＣＲからの反射光が電源ユニット３０によって遮光されてしまうのを未然に防止することができる。
【００８６】
次に、上記実施形態の第２変形例について説明する。
【００８７】
図６は、本変形例に係る灯具２１０を示す、図２と同様の図である。
【００８８】
同図に示すように、本変形例に係る灯具２１０の基本的な構成は上記第１変形例の場合と同様であるが、その投光ユニット２２０ＣＲ（第２の投光ユニット）の構成およびランプボディ２１２の構成が上記第１変形例の場合と一部異なっている。なお、透光カバー２１４の構成は上記第１変形例の場合と同様である。
【００８９】
具体的には、本変形例のランプボディ２１２は、投光ユニット２２０ＣＲを支持する天板部２１２ｇ（第２天板部）が上記第１変形例の天板部１１２ｇよりも灯具前方へ向けて下向きに傾斜して延びるように形成されている。その際、この天板部２１２ｇの下向き傾斜角度は水平面に対して５〜３０°程度の値に設定されている。
【００９０】
なお、電源ユニット３０を支持する天板部２１２ｉ（第３天板部）は、上記第１変形例の天板部１１２ｉと同じ高さに位置しており、この天板部２１２ｉと天板部１１２ｇとの間の接続部２１２ｈ（第２接続部）は、上記第１変形例の接続部１１２ｈと同じ傾斜角度で形成されている。
【００９１】
本変形例の投光ユニット２２０ＣＲは、そのリフレクタ２２４ＣＲが投光ユニット２０ＢＲ（第１の投光ユニット）のリフレクタ２４ＢＲと同一の反射面形状を有している。ただし、このリフレクタ２２４ＣＲは、灯具正面方向に対して１５〜６０°程度右向きの方向へ向けた状態でヒートシンク２６に固定されている。
【００９２】
本変形例の構成を採用することにより、上記第１変形例の場合に比して発光素子２２からの出射光をより多くリフレクタ２２４ＣＲに入射させることができ、これにより投光ユニット２２０ＣＲからの照射光をより明るいものとすることができる。
【００９３】
本変形例の構成を採用した場合においても、上記第１変形例の場合と同様、灯具全体の上下幅をさらに小さくすることによって灯具２１０を一層コンパクトな構成とすることができる。
【００９４】
また本変形例に係る灯具２１０においても、投光ユニット２２０ＣＲのリフレクタ２２４ＣＲとその灯具前方側に配置された電源ユニット３０とが灯具正面視において部分的に重複しているが、投光ユニット２２０ＣＲからの照射光は斜め下向きになっているので、この照射光が電源ユニット３０によって遮光されてしまうのを未然に防止することができる。
【００９５】
なお本変形例に係る灯具２１０においては、その投光ユニット２２０ＣＲが灯具右前方の斜め下方向を照射する構成となっているが、この投光ユニット２２２０ＣＲを灯具正面方向の斜め下方向を照射する構成とすることも可能である。このような構成を採用することにより、光照射範囲を上下方向に拡げた上で灯具正面方向をより明るく照射することが可能となり、また、投光ユニット２２０ＣＲを投光ユニット２０ＢＲと同一の構成とすることも可能となる。
【００９６】
次に、上記実施形態の第３変形例について説明する。
【００９７】
図７は、本変形例に係る灯具３１０を示す、図１と同様の図である。
【００９８】
同図に示すように、本変形例に係る灯具３１０の基本的な構成は上記実施形態の場合と同様であるが、６つの投光ユニット２０ＡＬ〜２０ＣＲの代わりに３つの投光ユニット３２０Ａ、３２０Ｂ、３２０Ｃを備えた構成となっている点で上記実施形態の場合と異なっており、これに伴ってランプボディ３１２および透光カバー３１４の構成も上記実施形態の場合と一部異なっている。
【００９９】
すなわち、本変形例においては、上記実施形態の左右１対の投光ユニット２０ＡＬ、２０ＡＲの代わりに投光ユニット３２０Ａが配置されており、上記実施形態の左右１対の投光ユニット２０ＢＬ、２０ＢＲの代わりに投光ユニット３２０Ｂ（第１の投光ユニット）が配置されており、上記実施形態の左右１対の投光ユニット２０ＣＬ、２０ＣＲの代わりに投光ユニット３２０Ｃ（第１の投光ユニット）が配置されている。
【０１００】
下段に位置する投光ユニット３２０Ａは、そのリフレクタ３２４Ａが、上記実施形態の各投光ユニット２０ＡＬ、２０ＡＲのリフレクタ２４ＡＬ、２４ＡＲよりも広い左右幅で形成されているが、その反射面形状は各リフレクタ２４ＡＬ、２４ＡＲの場合と同一である。
【０１０１】
中段に位置する投光ユニット３２０Ｂも、そのリフレクタ３２４Ｂが、上記実施形態の各投光ユニット２０ＢＬ、２０ＢＲのリフレクタ２４ＢＬ、２４ＢＲよりも広い左右幅で形成されているが、その反射面形状は各リフレクタ２４ＢＬ、２４ＢＲの場合と同一である。
【０１０２】
上段に位置する投光ユニット３２０Ｃは、そのリフレクタ３２４Ｃが、上記実施形態の各投光ユニット２０ＣＬ、２０ＣＲのリフレクタ２４ＣＬ、２４ＣＲを一体化させたような構成を有している。すなわち、このリフレクタ３２４Ｃは、その左半部３２４Ｃ１が上記実施形態のリフレクタ２４ＣＬと同一の反射面形状を有しており、その右半部３２４Ｃ２が上記実施形態のリフレクタ２４ＣＲと同一の反射面形状を有している。
【０１０３】
各投光ユニット３２０Ａ、３２０Ｂ、３２０Ｃにおける発光素子２２および基板２８の構成は上記実施形態の場合と同様であるが、そのヒートシンク３２６は上記実施形態のヒートシンク２６よりも広い左右幅で形成されている。
【０１０４】
本変形例のランプボディ３１２および透光カバー３１４は、上記実施形態のランプボディ１２および透光カバー１４よりも狭い左右幅で形成されている。
【０１０５】
そして、ランプボディ３１２は、上記実施形態のランプボディ１２と同様、その外周フランジ部３１２ａにおいて透光カバー３１４の外周縁部に支持されている。
【０１０６】
また、このランプボディ３１２には、上記実施形態のランプボディ１２と同じ位置に、後壁部３１２ｂと４つの天板部３１２ｃ、３１２ｅ、３１２ｇ、３１２ｉと３つの接続部３１２ｄ、３１２ｆ、３１２ｈとが形成されている。
【０１０７】
本変形例に係る灯具３１０においても、投光ユニット３２０Ａ、３２０Ｂからの照射光によって灯具正面方向を明るく照射することができ、また投光ユニット３２０Ｃからの照射光によって灯具前方の斜め下方向を左右方向に幅広く照射することができる。
【０１０８】
また、本変形例の構成を採用することにより、灯具全体の左右幅を上記実施形態の場合よりも小さくすることができ、これにより灯具３１０を一層コンパクトな構成とすることができる。
【０１０９】
なお、上記実施形態およびその変形例において諸元として示した数値は一例にすぎず、これらを適宜異なる値に設定してもよいことはもちろんである。
【０１１０】
また、本願発明は、上記実施形態およびその変形例に記載された構成に限定されるものではなく、これ以外の種々の変更を加えた構成が採用可能である。
【符号の説明】
【０１１１】
２  機体
１０、１１０、２１０、３１０  灯具
１２、１１２、２１２、３１２  ランプボディ
１２ａ、１１２ａ、３１２ａ  外周フランジ部
１２ｂ、３１２ｂ  後壁部
１２ｃ、３１２ｃ  天板部
１２ｃ１、１２ｅ１、１２ｇ１  開口部
１２ｄ、３１２ｄ  接続部
１２ｅ、３１２ｅ  天板部（第１天板部）
１２ｆ、３１２ｆ  接続部（第１接続部）
１２ｇ、１１２ｇ、２１２ｇ、３１２ｇ  天板部（第２天板部）
１２ｈ、１１２ｈ、２１２ｈ、３１２ｈ  接続部（第２接続部）
１２ｉ、１１２ｉ、２１２ｉ、３１２ｉ  天板部（第３天板部）
１４、１１４、２１４、３１４  透光カバー
１６  灯室
２０ＡＬ、２０ＡＲ、３２０Ａ  投光ユニット
２０ＢＬ、２０ＢＲ、３２０Ｂ  投光ユニット（第１の投光ユニット）
２０ＣＬ、２０ＣＲ、２２０ＣＲ、３２０Ｃ  投光ユニット（第２の投光ユニット）
２２  発光素子
２４ＡＬ、２４ＡＲ、２４ＢＬ、２４ＢＲ、２４ＣＬ、２４ＣＲ、２２４ＣＲ、３２４Ａ、３２４Ｂ、３２４Ｃ  リフレクタ
２４ＢＲａ、２４ＣＲａ  反射面
２４ＢＲｂ、２４ＣＲｂ  上端フランジ部
２４ＢＲｓ、２４ＣＲｓ  反射素子
２６、３２６  ヒートシンク
２６Ａ  厚肉部
２６Ｂ  薄肉部
２６ａ  放熱フィン
２６ｂ  ネジ挿通孔
２６ｃ  溝部
２８  基板
３０  電源ユニット
３０ａ  外周フランジ部
４０  パッキン
５２  皿ネジ
５４、６４、８４  ナット
６２、７２、８２  ネジ
３２４Ｃ１  左半部
３２４Ｃ２  右半部
【図１】
2019212587.tif 000003
【図２】
2019212587.tif 000004
【図３】
2019212587.tif 000005
【図４】
2019212587.tif 000006
【図５】
2019212587.tif 000007
【図６】
2019212587.tif 000008
【図７】
2019212587.tif 000009